(57)【特許請求の範囲】
【請求項１】
円錐台の周り部分のうち一部を取った形状を有する電池であって、
曲線を含む閉曲線（closed curve）の周りを有する第１面；
曲線を含む閉曲線の周りを有する第２面；及び
前記第１面及び前記第２面を連結して体積を形成する体積部；
を含み、
前記第１面の閉曲線は、前記第１面を垂直に見渡したときに曲線を呈する部分を含み、
前記第２面の閉曲線は、前記第２面を垂直に見渡したときに曲線を呈する部分を含み、
前記第１面及び前記第２面は、前記円錐台の軸方向に沿って離間しており、
前記第１面及び前記第２面のうち少なくともいずれか一つは、同一の方向に曲がった二つの曲線を互いに連結してなる閉曲線の周りを有し、前記第１面の面積と前記第２面の面積が互いに異なる電池。
【請求項２】
前記曲線は、それぞれ円弧（circular arc）である請求項１に記載の電池。
【請求項３】
前記二つの円弧は、同一の曲率中心を有する請求項２に記載の電池。
【請求項４】
前記二つの円弧は、同一の中心角を有する請求項３に記載の電池。
【請求項５】
前記第１面及び前記第２面は、いずれも同一の方向に曲がった二つの円弧を互いに連結してなる閉曲線の周りを有し、
前記第１面の周りに含まれた二つの円弧の曲率半径のうち少なくともいずれか一つは、前記第２面の周りに含まれた二つの円弧それぞれの曲率半径と全て異なる請求項１に記載の電池。
【請求項６】
前記第１面の周りに含まれた二つの円弧の曲率半径の全てが、前記第２面の周りに含まれた二つの円弧それぞれの曲率半径より小さい請求項５に記載の電池。
【請求項７】
前記第１面と前記第２面は互いに平行であり、
前記第１面と前記第２面を垂直に見渡したとき、前記第１面と前記第２面それぞれは、同一の曲率中心及び同一の中心角を有する二つの円弧を互いに連結してなる閉曲線の周りを有する請求項１に記載の電池。
【請求項８】
前記体積部は、前記第１面の周り及び前記第２面の周りを直線に連結して形成される請求項１に記載の電池。
【発明の詳細な説明】
【技術分野】
【０００１】
［関連出願の相互参照］
本出願は、２０１６年３月２４日付韓国特許出願第１０−２０１６−００３５１９６号に基づく優先権の利益を主張し、当該韓国特許出願の文献に開示された全ての内容は本明細書の一部として含まれる。
【０００２】
本発明は、電池に関し、より詳しくは電池の形状に関する。
【背景技術】
【０００３】
最近、各種電子機器等の形状が既存に比べて多様になるに伴い、電子機器等に備えられる電池の形状の多様性もやはり重要になっている。すなわち、既存と異なる多様な形状を有する電子機器に従来の単純な形状を有する電池を設置しようとする場合、電池の形状と電池が収容される電子機器内部の空間との不一致によって電子機器内部に空いた空間が発生するようになるが、これは電子機器の携帯及び移動が容易になるように電子機器の大きさが小型化されている現在の趨勢で、消費者の要求に逆らう要素となる。よって、多様な形状を有する電池を開発するための研究が持続的になされている。
【０００４】
電池の形状は、電池が搭載される電子機器の性格によって多様に変化することができるが、特に、携帯電話などのように手に握って使用できる電子機器の場合、使用者のグリップ（ｇｒｉｐ）感が向上し得るように曲面で製作される場合が多い。これによって、電子機器内部に搭載される電池もやはり曲面で製作され得る。よって、電子機器のグリップ感が向上するためには、電子機器内部に搭載される電池の形状もやはりそれに合わせて変化する必要がある。
【発明の概要】
【発明が解決しようとする課題】
【０００５】
したがって、本発明の目的は、電池の形状を最適化して電池が搭載される電子機器のグリップ感を向上させるとともに、電子機器の小型化を図るようにすることにある。
【課題を解決するための手段】
【０００６】
前記目的を達成するための本発明の一側面によれば、曲線を含む閉曲線（closed curve）の周りを有する第１面；曲線を含む閉曲線の周りを有する第２面；及び前記第１面及び前記第２面を連結して体積を形成する体積部；を含み、前記第１面及び前記第２面のうち少なくともいずれか一つは、同一の方向に曲がった二つの曲線を互いに連結してなる閉曲線の周りを有し、前記第１面の面積と前記第２面の面積が互いに異なる電池が提供される。
【０００７】
前記二つの曲線は、それぞれ円弧（circular arc）であってよい。
【０００８】
前記二つの円弧は、同一の曲率中心を有してよい。
【０００９】
前記第１面及び前記第２面は、いずれも同一の方向に曲がった二つの円弧を互いに連結してなる閉曲線の周りを有し、前記第１面の周りに含まれた二つの円弧の曲率半径のうち少なくともいずれか一つは、前記第２面の周りに含まれた二つの円弧それぞれの曲率半径と全て異なってよい。
【００１０】
前記第１面の周りに含まれた二つの円弧の曲率半径の全ては、前記第２面の周りに含まれた二つの円弧それぞれの曲率半径より小さくてよい。
前記第１面と前記第２面は互いに平行であり、前記第１面と前記第２面を垂直に見渡したとき、前記第１面と前記第２面それぞれは、同一の曲率中心及び同一の中心角を有する二つの円弧を互いに連結してなる閉曲線の周りを有することができる。
【００１１】
前記体積部は、前記第１面の周り及び前記第２面の周りを直線に連結して形成され得る。
【発明の効果】
【００１２】
本発明によれば、電池の形状を最適化して電池が搭載される電子機器のグリップ感を向上させるとともに、電子機器の小型化を図ることができる。
【図面の簡単な説明】
【００１３】
【図１】本発明の一実施形態による電池の形状を示した図である。
【図２】本発明の一実施形態による電池の第１面の一例を示した図である。
【図３】本発明の一実施形態による電池の第２面の一例を示した図である。
【発明を実施するための形態】
【００１４】
以下、図面を参照して本発明の一実施形態を説明する。しかし、本発明が以下の実施例によって制限されるか、限定されるものではない。
【００１５】
図１は、本発明の一実施形態による電池の形状を示した図である。
【００１６】
図１によれば、本発明には電池（ｂａｔｔｅｒｙ）１０が備えられる。本発明に係る電池は二次電池であってよい。また、本発明に係る電池は、電子機器に搭載される電池であってよい。
【００１７】
電池１０は、電池１０の下面を形成する第１面１２、電池１０の上面を形成する第２面１４及び第１面１２と第２面１４を連結して電池１０の体積を形成する体積部１６を含む。すなわち、体積部１６の両端には第１面１２及び第２面１４が形成される。このとき、体積部１６は第１面１２及び第２面１４の周りを連結することができる。
【００１８】
一方、本明細書の「上面」または「下面」という表現は、単に本明細書の図面に示された電池の方向によって名づけられたものであって、電池が電子機器などに搭載されて用いられている状態での電池の方向を意味するものと解釈されてはならない。
【００１９】
一方、第１面１２及び第２面１４は、閉曲線の周りを有する。図２及び図３は、それぞれ本発明の一実施形態による電池の第１面と第２面の一例を示した図である。図２及び図３に示すように、例えば、第１面１２及び第２面１４のうち少なくともいずれか一つは、同一の方向に曲がった二つの曲線を互いに連結してなる閉曲線の周りを有することができる。また、本発明によれば、第１面１２と第２面１４の面積は互いに異なってよい。第１面１２と第２面１４の面積が互いに異なる場合、第１面１２はより小さい面積を有する面を意味するものであってよく、第２面１４はより大きい面積を有する面を意味するものであってよい。
【００２０】
一方、第１面１２または第２面１４が同一の方向に曲がった二つの曲線を互いに連結してなる閉曲線の周りを有する場合、二つの曲線のうち少なくともいずれか一つは円弧（ｃｉｒｃｕｌａｒ  ａｒｃ）であってよい。図２及び図３では、第１面１２または第２面１４の周りのうち一部を構成する二つの曲線の全てが円弧である場合を示している。すなわち、図２では、第１面１２の周りのうち一部を構成する二つの曲線がそれぞれｒ１及びｒ２の曲率半径を有する円弧の場合を示しており、図３では、第２面１４の周りのうち一部を構成する二つの曲線がそれぞれＲ１及びＲ２の曲率半径を有する円弧の場合を示している。しかし、これに制限されず、第１面または第２面の周りのうち一部を構成する二つの曲線のうち一部のみが円弧であってもよい。
【００２１】
第１面１２または第２面１４の周りのうち一部を構成する二つの曲線の全てが円弧の場合、図２及び図３に示すように、二つの円弧は同一の曲率中心（Ｃ）を有することができる。すなわち、図２及び図３では、第１面１２及び第２面１４の周りのうち一部を構成する二つの円弧が、それぞれ同一の曲率中心（Ｃ１及びＣ２）を有する場合が示されている。
【００２２】
また、第１面１２または第２面１４の周りのうち一部を構成する二つの曲線の全てが円弧であり、そのような二つの円弧が同一の曲率中心（Ｃ）を有する場合、そのような二つの円弧は同一の中心角を有することができる。図２及び図３では、第１面１２及び第２面１４の周りのうち一部を構成する二つの円弧が、それぞれ同一の中心角（θ、θ’）を有する場合が示されている。
【００２３】
一方、図２及び図３に示すように、第１面１２及び第２面１４の周りのうち一部を構成する円弧等が、それぞれｒ１、ｒ２、Ｒ１、Ｒ２の曲率半径を有する場合、このような曲率半径等間の大小関係は、次のように定義され得る。
【００２４】
第１面１２の周りに含まれた二つの円弧の曲率半径のうち少なくともいずれか一つは、第２面１４の周りに含まれた二つの円弧それぞれの曲率半径と全て異なってよい。すなわち、図２及び図３に示すように、ｒ１及びｒ２のうち少なくともいずれか一つは、Ｒ１及びＲ２の全てと異なってよい。これと似て、第２面１４の周りに含まれた二つの円弧の曲率半径のうち少なくともいずれか一つは、第１面１２の周りに含まれた二つの円弧それぞれの曲率半径と全て異なってよい。すなわち、図２及び図３に示すように、Ｒ１及びＲ２のうち少なくともいずれか一つは、ｒ１及びｒ２の全てと異なってよい。
【００２５】
また、第１面１２の面積が第２面１４の面積より小さい場合、第１面１２の周りに含まれた二つの円弧の曲率半径の全ては、第２面１４の周りに含まれた二つの円弧それぞれの曲率半径より小さくてよい。すなわち、図２及び図３に示すように、ｒ１及びｒ２はＲ１及びＲ２より小さくてよい。
【００２６】
一方、本発明の一実施形態による電池１０の第１面１２と第２面１４は、互いに平行であってよい。また、第１面１２及び第２面１４を垂直に見渡したとき（例えば、図２を基準として電池をＰ方向から見渡したとき）、第１面１２と第２面１４の閉曲線の周りに含まれたそれぞれの二つの円弧（すなわち、合計四つの円弧）は、同一の中心角を有してよく、同一の点を曲率中心として有してよい。また、第１面１２と第２面１４それぞれは、同一の中心角を有してよい。（すなわち、θ＝θ’）
【００２７】
一方、前述したように体積部１６は、第１面１２と第２面１４を連結して電池１０の体積を形成し、このとき、体積部１６は、第１面１２及び第２面１４を直線に連結することができる。例えば、体積部１６は、図１に示すように、第１面１２の周り及び第２面１４の周りを直線に連結することができる。
【００２８】
また、本発明の一実施形態による電池１０は、円錐の一部であってよい。すなわち、図１から図３に示すように、第１面１２及び第２面１４が互いに平行であり、第１面１２と第２面１４の閉曲線の周りに含まれたそれぞれの二つの円弧（すなわち、合計四つの円弧）は同一の中心角を有し、同一の点を曲率中心として有するとともに、体積部１６は第１面１２の周り及び第２面１４の周りを直線に連結する場合、本発明の一実施形態による電池は円錐の上部を切り出した後、残った部分（一種の円錐台）の周り部分のうち一部を取った形状を有することとなる。または、他の方式ではコーン状の一部の形態であってよい。
【００２９】
主に使用者が手で握っている状態で用いられる電子機器の場合、使用の際に電子機器のグリップ感が向上されるようにするため、電子機器を曲面で製造する場合が多い（拡声器などの多様な形態がある）。したがって、そのような電子機器に搭載されるバッテリーもやはり、曲面で製造される場合が多い。
【００３０】
ところが、人体の構造上、人の手は区域によって異なる曲率を有することとなる。したがって、電子機器を曲面で製造するとき、電子機器の上側と下側に位置した曲面が全て同一の曲率を有するようにする場合、電子機器のグリップ感の向上される程度が制限されるという問題点がある。よって、電子機器のグリップ感を最大化するためには、電子機器の上側と下側に位置した曲面の曲率半径が互いに異なるように製造されることが好ましい（一例として、拡声器などの電子機器で特に必要である）。よって、電子機器に搭載される電池もやはり、上側と下側に位置した曲面の曲率半径が互いに異なるように製造されることが好ましい。
【００３１】
したがって、本発明のように電池の形状を構成する場合、電池が全体的に曲面を有する構造であるとともに、電池の上下が互いに異なる曲率を有するようになるので、上下の曲面の曲率半径が異なる電子機器（拡声器など）に効果的に搭載することができる。したがって、電子機器のグリップ感が向上されるとともに、電子機器内の電池の配置空間と電池の形状の合致によって、電子機器内に必要な内部空間が最小化され、電子機器の小型化も図ることができるという技術的効果が存在する。
【符号の説明】
【００３２】
１０  電池
１２  第１面
１４  第２面
１６  体積部
【図１】
0006564143.tif 000002
【図２】
0006564143.tif 000003
【図３】
0006564143.tif 000004